(57)【要約】【課題】多色の細かい絵柄や模様を鮮明に印刷することができ、かつ、デザイン性や宣伝性が損なわれることなく、鮮明な印刷状態を保つことのできる使い捨てカイロを提供する。【解決手段】偏平状袋内に空気の存在下で酸化発熱する発熱組成物が封入されており、前記偏平状袋が気密性袋内に収納されてなるカイロ。前記偏平状袋の片面または両面がアルミニウム蒸着層または乳白色合成樹脂層を含む合成樹脂積層フィルムからなり、前記フィルムの表面に印刷が施されている。【選択図】図１
2005058425.tif 000002
【特許請求の範囲】
【請求項１】
偏平状袋内に空気の存在下で酸化発熱する発熱組成物が封入されており、前記偏平状袋が気密性袋内に収納されてなるカイロであって、前記偏平状袋の片面または両面がアルミニウム蒸着層または乳白色合成樹脂層を含む合成樹脂積層フィルムからなり、前記フィルムの表面に印刷が施されてなることを特徴とする使い捨てカイロ。
【請求項２】
前記偏平状袋の両面がアルミニウム蒸着層または乳白色合成樹脂層を含む合成樹脂積層フィルムからなる請求項１記載の使い捨てカイロ。
【請求項３】
前記偏平状袋の両面がアルミニウム蒸着層を含む合成樹脂積層フィルムからなる請求項１または２記載の使い捨てカイロ。
【請求項４】
前記合成樹脂積層フィルムに微細な孔を穿設した請求項１、２または３記載の使い捨てカイロ。
【請求項５】
前記偏平状袋の片面がアルミニウム蒸着層または乳白色合成樹脂層を含む合成樹脂積層フィルムからなり、他方が多孔質合成樹脂フィルム、粘着剤層、および剥離紙からなる請求項１記載の使い捨てカイロ。
【請求項６】
前記偏平状袋の片面がアルミニウム蒸着層を含む合成樹脂積層フィルムからなる請求項５記載の使い捨てカイロ。
【発明の詳細な説明】
【技術分野】
【０００１】
本発明は使い捨てカイロに関する。さらに詳しくは、多色の細かい絵柄や模様を鮮明に印刷することができ、かつ、デザイン性や宣伝性が損なわれることなく、鮮明な印刷状態を保つことのできる使い捨てカイロに関する。
【背景技術】
【０００２】
従来より、空気の存在下で発熱する発熱組成物を通気性の収納袋（内袋）に収容し、この内袋を非通気性の袋（外袋）で包装した使い捨てカイロが知られている。かかるカイロとしては、手足や腰部を温めるもの以外に、足の裏、肩、臀部など身体の種々の部位を対象にしたものが提案されており、また所定の部位に貼りつけて当該部位を効果的に温めるために内袋の表面に粘着剤層を設けたものも提案されている。
【０００３】
このような使い捨てカイロは、外袋を開封して、内袋内の発熱組成物を空気と接触させることにより発熱が開始し、所定の時間温かい状態が維持されるが、一般的な使い捨てカイロでは、使用感ないしは触感を考慮して、内袋の材質として、柔らかく、かつ所定の強度を有する不織布が使われている（たとえば、特許文献１参照）。
【０００４】
【特許文献１】特開平９−７５３８７号公報
【発明の開示】
【発明が解決しようとする課題】
【０００５】
しかしながら、不織布は、使用感ないしは触感には優れているものの、表面が粗く、また多少毛羽立っているため、単一色の粗い絵柄や模様しか印刷することができず、デザイン性や宣伝性において不充分なものであった。また、前記模様や絵柄は、手などが触れることにより、比較的簡単に一部が剥がれてしまうこともあった。
【０００６】
一方、不織布の代わりに合成樹脂フィルムを用いると、多色の細かい絵柄や模様を鮮明に印刷することができ、さらに鮮明な印刷状態を保つことができる。しかし、合成樹脂フィルムを用いた場合には、通常、黒色を有している発熱組成物の色が透けるため、デザイン性および宣伝性が損なわれていた。
【０００７】
本発明は、叙上の事情に鑑み、多色の細かい絵柄や模様を鮮明に印刷することができ、かつ、デザイン性や宣伝性が損なわれることなく、鮮明な印刷状態を保つことのできる使い捨てカイロを提供することを目的とする。
【課題を解決するための手段】
【０００８】
本発明の使い捨てカイロは、偏平状袋内に空気の存在下で酸化発熱する発熱組成物が封入されており、前記偏平状袋が気密性袋内に収納されてなるカイロであって、前記偏平状袋の片面または両面がアルミニウム蒸着層または乳白色合成樹脂層を含む合成樹脂積層フィルムからなり、前記フィルムの表面に印刷が施されてなることを特徴としている。
【０００９】
前記偏平状袋の両面がアルミニウム蒸着層または乳白色合成樹脂層を含む合成樹脂積層フィルムからなることが好ましい。
【００１０】
また、前記偏平状袋の両面がアルミニウム蒸着層を含む合成樹脂積層フィルムからなることが好ましい。
【００１１】
さらに、合成樹脂積層フィルムには微細な孔を穿設することが好ましい。
【００１２】
一方、前記偏平状袋の片面がアルミニウム蒸着層または乳白色合成樹脂層を含む合成樹脂積層フィルムからなり、他方が多孔質合成樹脂フィルム、粘着剤層、および剥離紙からなることが好ましい。
【００１３】
さらに、前記偏平状袋の片面がアルミニウム蒸着層を含む合成樹脂積層フィルムからなることが好ましい。
【発明の効果】
【００１４】
本発明の使い捨てカイロによれば、内袋の片面または両面を合成樹脂積層フィルムで作製しているので、多色の細かい絵柄や模様を鮮明に印刷することができ、デザイン性や宣伝性を高めるとともに、鮮明な印刷状態を保つことができる。
【００１５】
また、アルミニウム蒸着層または乳白色合成樹脂層のうち、合成樹脂積層フィルムにおいて、各々の合成樹脂の収縮率による穿孔穴の通気量（穴の大きさ）を一定に保つことができる点で、アルミニウム蒸着層がより好ましい。
【発明を実施するための最良の形態】
【００１６】
以下、添付図面を参照しつつ、本発明の使い捨てカイロを詳細に説明する。
【００１７】
図１は本発明の使い捨てカイロの一実施の形態の断面説明図、図２および図３は、本発明における使い捨てカイロに使用する合成樹脂積層フィルムの断面説明図、図４は本発明の使い捨てカイロの内袋の平面説明図であって、図１において下側の面の平面説明図である。
【００１８】
図１および４において、１は通気小孔または微細孔群を有する偏平状の通気性内袋を示しており、内袋１は、少なくともその一部が通気性面である。すなわち、その一方の面（図４において下側の面）が通気性面で、他方の面が非通気性面であってもよいし、また両面とも通気性面であってもよい。さらに、片面のうち、一部が通気性面で残りが非通気性面であってもよい。
【００１９】
内袋１の大きさは、本発明において、とくに限定されるものではなく、各種用途に応じて適宜選定すればよい。また、形状としては、矩形に限らず円形、楕円形、舌片形状、ハート型など他の形状を採用することもできる。
【００２０】
前記内袋１の通気性については、とくに限定はないが、穿孔穴の大きさは内容物がこぼれない程度であればよく、たとえば０．５ｍｍ以下程度であり、また通気量は、発熱組成物が発熱し得る範囲であればよく、本発明においてとくに限定されるものではない。
【００２１】
本発明の使い捨てカイロは、前記内袋１の片面または両面がアルミニウム蒸着層または乳白色合成樹脂層を含む合成樹脂積層フィルム６からなり、その表面に適宜の印刷が施されていることを特徴としている。本実施の形態では、図１において下側の面に印刷が施されている。
【００２２】
前記合成樹脂積層フィルムは、異種の合成樹脂を積層することによって作製される。異種の合成樹脂を積層するのは、カイロ製造時における加工適正を向上させるためである。合成樹脂としては、たとえば、ナイロン、ポリエチレン、ポリプロピレンなどが用いられる。積層フィルム自体は気密性を有しているが、本実施の形態では、微小な孔を穿設することでフィルムに通気性を付与している。積層フィルム全体の厚さは、３０〜２００μｍが好ましく、５０〜１００μｍがより好ましい。３０μｍより薄いとフィルム強度が低下し、破袋して中身がこぼれる傾向にあり、２００μｍをこえるとフィルムの柔軟性が低下し、カイロとしたときに使用感が損なわれる傾向にある。
【００２３】
前記乳白色合成樹脂層は、コスト、加工性の点で、乳白色ポリエチレンが好ましい。この樹脂層は、前記合成樹脂積層フィルムに、押し出しラミネーションやドライラミネーションなどの方法により積層されており、その厚さは、５〜１００μｍが好ましく、１０〜５０μｍがより好ましい。５μｍより薄いと中身が透けて見えてしまう傾向にあり、１００μｍをこえると加工適正、コストが問題となる傾向にある。
【００２４】
合成樹脂積層フィルム６の断面を、図２および図３に示す。図２は、アルミニウム蒸着層を含む場合の一例であり、ナイロン層７、アルミニウムを蒸着したポリプロピレンまたはポリエチレン層８、およびポリエチレン層９からなる合成樹脂積層フィルム６を表す。また、図３は、乳白色合成樹脂層を含む場合の一例であり、ナイロン層７、乳白色ポリエチレン層１０およびポリエチレン層９からなる合成樹脂積層フィルム６を表す（図２および３ともに、ナイロン層７側が内袋表面、ポリエチレン層９側が内袋内部を示す）。本発明においては、アルミニウム蒸着層または合成樹脂層により、通常、黒色を有している発熱組成物２の色が透けることがないため、デザイン性および宣伝性を損ねることがない。
【００２５】
内袋１は、両面ともアルミニウム蒸着層または乳白色合成樹脂層を含む合成樹脂積層フィルムで作製することもできるが、片面だけアルミニウム蒸着層または乳白色合成樹脂層を含む合成樹脂積層フィルムで作製し、片方の面を従来から用いられている不織布、多孔質合成樹脂フィルムなどで作製することもできる。さらに、片面をアルミニウム蒸着層または乳白色合成樹脂層を含む合成樹脂積層フィルムで作製し、もう片面は合成樹脂積層フィルムのみとすることもできる。なかでも、両面において発熱組成物が透けることがなく、両面に印刷が可能になる点で、両面がアルミニウム蒸着層または乳白色合成樹脂層を有する合成樹脂積層フィルムであることが好ましい。
【００２６】
また、アルミニウム蒸着層または乳白色合成樹脂層のうち、合成樹脂積層フィルムにおいて、各々の合成樹脂の収縮率による穿孔穴の通気量（穴の大きさ）を一定に保つことができる点で、アルミニウム蒸着層がより好ましい。
【００２７】
内袋１の外周部には、内袋１同士を固着するためのシーラント層（図示せず）が設けられており、このシーラント層は、たとえばエチレン−酢酸ビニル共重合体、ＥＭＭＡや、メタロセン触媒などのシングルサイト触媒によって重合または共重合されたポリエチレンなどからなっている。
【００２８】
前記印刷の内容としては、各種動物やキャラクターを含む絵柄、模様、商品名、会社名、ハウスマーク、使用説明などあらゆるものが含まれ、本発明においてとくに限定されるものではない。また、合成樹脂積層フィルムへの印刷方法としては、従来公知の方法を採用することができる。本発明では合成樹脂積層フィルムに印刷が施されるので、通常の紙への印刷とほぼ同様に細かい絵柄や模様を実現することができ、また単色に限らず多色の印刷も容易に実現できる。このため、デザイン性や宣伝性に優れたカイロを得ることができる。
【００２９】
内袋１の内部には空気の存在下で酸化発熱する発熱組成物２が封入されており、この内袋１が気密性の外袋３内に収納されている。
【００３０】
内袋１に封入する発熱組成物２としては、たとえば鉄粉などの金属粉、活性炭、水、保水剤（木粉、バーミキュライト、けい藻土、パーライト、シリカゲル、アルミナ、吸水性樹脂など）、食塩などからなるものを用いることができるが、これらに限定されるものではない。
【００３１】
外袋３は、ポリエチレン、ポリプロピレンなどの無孔フィルムからなっている。
【００３２】
また、本実施の形態では、カイロの人体への装着を容易かつ簡便ならしめるために、内袋１の多孔質合成樹脂フィルムからなる一方の面（図１において上側の面）に通常の粘着性物質からなる粘着剤層４が形成されており、この粘着剤層４上には剥離紙５が設けられている。前記粘着剤層４は、内袋１の片面全体に設けるようにしてもよいし、縞模様、格子模様、水玉模様などの適宜の模様を形成するように部分的に設けるようにしてもよい。
【００３３】
なお、本発明の使い捨てカイロは、粘着剤層を有する、いわゆる貼るタイプのカイロであってもよいし、手に持って使用できるような、粘着剤層を有しないタイプのカイロであってもよい。
【００３４】
好ましいカイロの形態としては、内袋の一方の面が、厚さ１５μｍのナイロン製フィルムと厚さ２０μｍのアルミニウム蒸着ポリプロピレン層とからなり、他方が、厚さ３０μｍのポリエチレン製の多孔質フィルムからなっている。さらに後者には、ゴム系の粘着性物質からなる厚さ０．１ｍｍの粘着剤層および剥離紙が設けられている。この内袋には、発熱組成物として鉄粉、活性炭、塩化ナトリウム、高分子吸収剤、水が封入されており、また外袋は、厚さ約５０μｍの非通気性フィルムからなる。
【図面の簡単な説明】
【００３５】
【図１】本発明の使い捨てカイロの一実施の形態の断面説明図である。
【図２】アルミニウム蒸着層を含む合成樹脂積層フィルムの断面説明図である。
【図３】乳白色合成樹脂層を含む合成樹脂積層フィルムの断面説明図である。
【図４】本発明の使い捨てカイロの内袋の平面説明図である。
【符号の説明】
【００３６】
１  内袋
２  発熱組成物
３  外袋
４  粘着剤層
５  剥離紙
６  合成樹脂積層フィルム
７  ナイロン層
８  アルミニウムを蒸着したポリプロピレンまたはポリエチレン層
９  ポリエチレン層
１０  乳白色ポリエチレン層
【図１】
2005058425.tif 000003
【図２】
2005058425.tif 000004
【図３】
2005058425.tif 000005
【図４】
2005058425.tif 000006